【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
構造化表面を有する取り外し可能なテンプレート層と、
前記テンプレート層の前記構造化表面上の少なくとも一部に配置された第１の表面及び前記構造化表面と対向する第２の表面を有するバックフィル層であって、前記第２の表面は微細構造化表面を含む、バックフィル層と、
前記微細構造化表面上の少なくとも一部に配置された層であって、前記層は、前記バックフィル層とは異なる屈折率を有する、層と、を含み、
前記微細構造化表面は、前記微細構造化表面上の少なくとも一部に配置された前記層とともに、異方性拡散体をなす、転写テープ。
【請求項２】
主表面を有するガラス板と、
前記主表面の少なくとも一部に接着された微小光学層であって、前記微小光学層は、構造化表面及び対向する微細構造化表面を有し、硬化したバックフィル層と、前記バックフィル層とは異なる屈折率を有する前記微細構造化表面に隣接する層と、を含み、
前記微細構造化表面は、前記微細構造化表面に隣接する前記層とともに、異方性拡散体をなす、微小光学ガラス。
【請求項３】
主表面を有するガラス板と、
前記主表面の少なくとも一部に接着された微小光学層と、
異なる屈折率を有する層に隣接する微細構造化境界面であって、前記微細構造化境界面は前記微小光学層に近接している、微細構造化境界面と、を含む、微小光学ガラスであって、
３０°〜６０°の入射角で、前記微小光学ガラスは日光の少なくとも８０％を上向きに方向転換させ、太陽柱は出現せず、
前記微細構造化境界面は、非対称構造を含み、可視光を異方性拡散させるようになっている、微小光学ガラス。
【請求項４】
室内側の外表面を有するガラス板から間隙によって隔てられている日光側の板外表面を有するガラス板であって、各板は前記間隙に隣接する内表面を有する、ガラス板と、
ガラス板の内表面の少なくとも一部に接着された微小光学層であって、前記微小光学層は、硬化したバックフィル層を含み、前記微小光学層は、構造化表面と、これに対向する、前記バックフィル層とは異なる屈折率を有する層に隣接する、微細構造化表面と、を有し、前記微細構造化表面は前記層とともに異方性拡散体をなす、微小光学層と、を含む、断熱ガラスユニット。
【請求項５】
断熱ガラスユニットであって、
室内側の外表面を有するガラス板から間隙によって隔てられている日光側の板外表面を有するガラス板であって、各板は前記間隙に隣接する内表面を有する、ガラス板と、
前記断熱ガラスユニットの内表面上に配置された微小光学層と、
前記微小光学層と前記室内側の外表面との間に配置された微細構造化境界面であって、前記微細構造化境界面は非対称構造を含み、前記微細構造化境界面は、可視光を異方性拡散させるようになっている、微細構造化境界面と、を含む、断熱ガラスユニット。
【請求項６】
構造化表面を有する第１のテンプレートを準備する工程と、
硬化性バックフィル層が前記第１のテンプレートの前記構造化表面と適合する主表面及び対向する平坦表面を有するように、前記構造化表面上に前記硬化性バックフィル層を提供する工程と、
前記硬化性バックフィル層の前記平坦表面を第２のテンプレートと接触させる工程であって、前記第２のテンプレートは、非対称構造を有する微細構造化表面を含む、工程と、
前記バックフィル材料を硬化させて、それにより構造化表面及び対向する微細構造化表面を有する硬化したバックフィル層を形成する工程と、を含む、転写テープの製造方法。
【請求項７】
構造化表面を有する第１のテンプレートと、
硬化性バックフィル層が前記第１のテンプレートの前記構造化表面と適合する主表面及び対向する表面を有するような、前記構造化表面上の前記硬化性バックフィル層と、
前記バックフィル層の前記対向する表面と接触させて配置された微細構造化表面を有する第２のテンプレートであって、前記微細構造化表面は非対称構造を含む、第２のテンプレートと、を含む、転写テープを準備する工程と、
前記第２のテンプレート層を取り外す工程と、
前記硬化した微細構造化バックフィル層を、接着剤でガラス板に接着する工程であって、前記接着剤は、前記バックフィル層とは異なる屈折率を有する、工程と、を含む、微小光学ガラスの製造方法。
【請求項８】
構造化表面を有する第１のテンプレートと、
硬化性バックフィル層が前記第１のテンプレートの前記構造化表面と適合する主表面及び非対称構造を含む対向する微細構造化表面を有するような、前記構造化表面上の前記硬化性バックフィル層と、
前記硬化したバックフィル層の前記微細構造化表面上に配置された層であって、前記層は、前記硬化したバックフィル層とは異なる屈折率を有する、層と、を含む、転写テープを準備する工程と、
前記硬化したバックフィル層とは異なる屈折率を有する前記層に接着剤を適用する工程と、
前記硬化した微細構造化バックフィル層をガラス板に接着する工程と、を含む、微小光学ガラスの製造方法。
【請求項９】
構造化表面を有する第１のテンプレートと、
硬化性バックフィル層が前記第１のテンプレートの前記構造化表面と適合する主表面及び非対称構造を含む対向する微細構造化表面を有するような、前記構造化表面上の前記硬化性バックフィル層と、
前記硬化したバックフィル層の前記微細構造化表面上に配置された接着剤層であって、前記接着剤層は、前記硬化したバックフィル層とは異なる屈折率を有する、接着剤層と、を含む、転写テープを準備する工程と、
前記バックフィル層の前記微細構造化表面上に配置された接着剤層によって、前記硬化した微細構造化バックフィル層をガラス板に接着する工程と、を含む、微小光学ガラスの製造方法。
【請求項１０】
構造化表面及び対向する表面を有する第１のテンプレートと、
硬化したバックフィル層が、前記第１のテンプレートの前記構造化表面と適合する主表面及び非対称微細構造を含む対向する表面を有するような、前記構造化表面上の前記バックフィル層と、
前記バックフィル層の前記対向する表面上に配置された接着剤層と、
前記接着剤層上に配置された剥離ライナーと、を含む、転写テープを準備する工程と、
切断部分は前記剥離ライナーに残り、未切断部分は取り外すことができるように、前記第１のテンプレート、バックフィル層及び接着剤層を切断する工程と、を含む、転写テープの製造方法。
【請求項１１】
構造化表面及び対向する表面を有する第１のテンプレートと、
硬化したバックフィル層が、前記第１のテンプレートの前記構造化表面と適合する主表面及び対向する表面を有するような、前記構造化表面上の前記バックフィル層と、を含む、転写テープを準備する工程と、
粗表面を有するガラスを準備する工程であって、前記粗表面は、第１の方向に第１の半値半幅（ＨＷＨＭ）を有する勾配分布、及び前記第１の方向とは異なる第２の方向に第２のＨＷＨＭを有する第２の表面角度分布を有し、前記第１のＨＷＨＭは、前記第２のＨＷＨＭとは異なる、工程と、
前記ガラスの前記粗表面を前記バックフィル層の前記対向する表面に接着剤で接着する工程であって、前記接着剤は、前記硬化したバックフィル層と実質的に同じ屈折率を有し、前記接着剤は、前記ガラスとは異なる屈折率を有する、工程と、を含む、微小光学ガラスの製造方法。
【請求項１２】
構造化表面及び対向する表面を有する第１のテンプレートと、
硬化したバックフィル層が、前記第１のテンプレートの前記構造化表面と適合する主表面及び非対称微細構造を含む対向する表面を有するような、前記構造化表面上の前記バックフィル層と、を含む、転写テープを準備する工程と、
粗表面及び平坦表面を有するガラスを準備する工程と、
前記ガラスの前記平坦表面を前記バックフィル層に接着剤で接着する工程であって、前記接着剤は、前記硬化したバックフィル層と実質的に同じ屈折率を有し、前記接着剤は、前記ガラスと実質的に同じ屈折率を有する、工程と、を含む、微小光学ガラスの製造方法。